(57)【特許請求の範囲】
【請求項１】
開閉方向に並ぶ複数のパネルからなる開閉装置用の開閉体において、
開閉方向に隣り合う二つのパネルの間には、一方のパネルに対し他方のパネルを折り曲げるように回動させるとともにこの回動の際に前記二つのパネル間の角度が狭まる方向側で前記二つのパネルの厚み内に位置するヒンジ部と、該ヒンジ部により形成される凹凸を、開閉体厚み方向側から覆って略平坦状にする第１のカバー部及び第２のカバー部とが設けられ、
第１のカバー部は、第２のカバー部に対向する端部側が前記ヒンジ部の回動軸の外周に沿うとともに、その逆端側が前記一方のパネルに対し着脱可能に固定され、
第２のカバー部は、第１のカバー部に対向する一端側を、前記回動の前後にわたって第１のカバー部の前記端部側に近接するように形成するとともに、その他端側が前記他方のパネルに対し着脱可能に固定されていることを特徴とする開閉装置用の開閉体。
【請求項２】
第１のカバー部又は第２のカバー部は、着脱可能なネジにより、対応する前記パネルに止着されていることを特徴とする請求項１記載の開閉装置用の開閉体。
【請求項３】
開閉方向に隣り合う二つの前記パネルは、開閉体厚み方向において第１及び第２のカバー部側に対する反対側の表面が平坦状に形成され、この平坦状の表面と前記第１及び第２のカバー部との間に、前記ヒンジ部を配置していることを特徴とする請求項１又は２記載の開閉装置用の開閉体。
【請求項４】
前記パネルには、開閉方向の中央寄りに平坦面部が設けられ、この平坦面部における開閉方向の端部側に前記ヒンジ部を着脱可能に固定するための被止着部が設けられていることを特徴とする請求項１〜３何れか１項記載の開閉装置用の開閉体。
【請求項５】
第１のカバー部は、第２のカバー部に対向する端部側に対する逆端側に、対応する前記パネルに嵌り合う係合突起を有し、
第２のカバー部は、第１のカバー部に対向する一端側に対する他端側に、対応する前記パネルに嵌り合う係合突起を有することを特徴とする請求項１〜４何れか１項記載の開閉装置用の開閉体。
【請求項６】
開閉方向に並ぶ複数のパネルからなる開閉装置用の開閉体において、
開閉方向に隣り合う二つのパネルの間には、一方のパネルに対し他方のパネルを折り曲げるように回動させるとともにこの回動の際に前記二つのパネル間の角度が狭まる方向側で前記二つのパネルの厚み内に位置するヒンジ部が設けられ、これら二つのパネルには、前記ヒンジ部により形成される凹凸を開閉体厚み方向側から覆って略平坦状にするように、それぞれカバー部が着脱可能に固定され、
前記各カバー部は、開閉方向の一端側部分を、前記ヒンジ部の回動軸の外周に沿って形成し、その他端側部分を、開閉方向に隣り合うカバー部の前記一端側部分に対し前記回動の前後にわたって近接するように形成し、開閉方向の一端側と他端側の間を略平坦状に形成していることを特徴とする開閉装置用の開閉体。
【請求項７】
前記開閉方向が上下方向であり、第１のカバー部は第２のカバー部に対し下側に位置していることを特徴とする請求項１〜５何れか１項記載の開閉装置用の開閉体。
【請求項８】
第１のカバー部は、第２のカバー部に対向する端部側に、前記ヒンジ部の回動軸の外周に沿う凸湾曲状の曲面部を有し、
第２のカバー部は、第１のカバー部に対向する一端側に、前記凸湾曲状の曲面部に沿う凹湾曲状の曲面部を有することを特徴とする請求項１〜５，７何れか１項記載の開閉装置用の開閉体。
【発明の詳細な説明】
【技術分野】
【０００１】
本発明は、例えば、オーバーヘッドドアやシャッター装置等の開閉装置に用いられる開閉体、及び該開閉体を用いた開閉装置に関するものである。
【背景技術】
【０００２】
従来、この種の発明には、例えば特許文献１に記載されるもののように、上下に並ぶ複数のパネル（パネル状部材１１）からなる開閉体（１０）と、該開閉体（１０）を上方へ開放して上方斜め後方へ収納するガイドレール（３０）とを具備したオーバヘッドドアがある。このオーバヘッドドアによれば、開閉体（１０）をガイドレール（３０）の上部側に収納する際には、隣接する前記パネル間を折り曲げるようにして、前記パネルの一方を他方に対し回動させる。このため、隣接する前記パネルの間は、軸状部材等を有するヒンジ部によって接続されている（特許文献１の図１参照）。
【０００３】
しかしながら、上記従来技術では、前記ヒンジ部によって開閉体（１０）の室内側面に凹凸が形成される。詳細に説明すれば、前記ヒンジ部が開閉体（１０）の室内側面から開閉体厚さ方向へ突出するため、該ヒンジ部が凸部になり、該ヒンジ部の上側と下側がそれぞれ凹部になる。
したがって、開閉体（１０）面が凹凸になり該凹部に塵埃や異物等が付着したり、突出するヒンジ部の作動音が耳触りであったり等するおそれがある。
【先行技術文献】
【特許文献】
【０００４】
【特許文献１】特開２０１４−１０９１８４号公報
【発明の概要】
【発明が解決しようとする課題】
【０００５】
本発明は上記従来事情に鑑みてなされたものであり、その課題とする処は、ヒンジ部による凹凸を無くして開閉体面への塵埃や異物等の付着を抑制することができる開閉装置用の開閉体及び該開閉体を用いた開閉装置を提供することにある。
【課題を解決するための手段】
【０００６】
上記課題を解決するための一手段は、開閉方向に並ぶ複数のパネルからなる開閉装置用の開閉体において、開閉方向に隣り合う二つのパネルの間には、一方のパネルに対し他方のパネルを折り曲げるように回動させるとともにこの回動の際に前記二つのパネル間の角度が狭まる方向側で前記二つのパネルの厚み内に位置するヒンジ部と、該ヒンジ部により形成される凹凸を、開閉体厚み方向側から覆って略平坦状にする第１のカバー部及び第２のカバー部とが設けられ、第１のカバー部は、第２のカバー部に対向する端部側が前記ヒンジ部の回動軸の外周に沿うとともに、その逆端側が前記一方のパネルに対し着脱可能に固定され、第２のカバー部は、第１のカバー部に対向する一端側を、前記回動の前後にわたって第１のカバー部の前記端部側に近接するように形成するとともに、その他端側が前記他方のパネルに対し着脱可能に固定されていることを特徴とする。
【発明の効果】
【０００７】
本発明は、以上説明したように構成されているので、ヒンジ部による凹凸を無くして開閉体面への塵埃や異物等の付着を抑制することができる。
【図面の簡単な説明】
【０００８】
【図１】本発明に係る開閉体の一例を示す斜視図である。
【図２】パネルの一例を示す側面図である。
【図３】同開閉体の要部拡大側面図である。
【図４】同開閉体のパネル間を示す要部拡大図であり、（ａ）と（ｂ）はパネル間を曲げる前の状態と後の状態を示している。
【図５】パネルの他例を示す側面図であり、（ａ）はカバー部材を外した状態を示し、（ｂ）はカバー部材を装着した状態を示す。
【図６】図５のパネルを連結した状態を示す側面図であり、（ａ）と（ｂ）はパネル間を曲げる前の状態と後の状態を示している。
【図７】パネルの他例を示す側面図である。
【図８】図７のパネルを連結した状態を示す側面図であり、（ａ）と（ｂ）はパネル間を曲げる前の状態と後の状態を示している。
【発明を実施するための形態】
【０００９】
本実施の形態の第一の特徴は、開閉方向に並ぶ複数のパネルからなる開閉装置用の開閉体において、開閉方向に隣り合う二つのパネルの間には、これら二つのパネルの厚み内に位置して一方のパネルに対し他方のパネルを折り曲げるように回動させるヒンジ部と、該ヒンジ部により形成される凹凸を、開閉体厚み方向側から覆って略平坦状にするカバー部とが設けられている。
ここで、前記「凹凸」は、例えば、ヒンジ部の軸部分により形成される凸部と、該凸部の両側に形成される凹部等である。
この構成によれば、ヒンジ部により形成される凹凸をカバー部により覆って略平坦状にすることができ、開閉体面に塵埃や異物等が付着し難くしたり、ヒンジ部の回動音を低減したりすることができる。
【００１０】
第二の特徴として、開閉体面への塵埃や異物等の付着をより効果的に抑制するために、前記カバー部は、前記二つのパネルが略直線状に並んだ際にこれら二つのパネルに対し略面一になるように設けられている。
【００１１】
第三の特徴として、メンテナンス性を向上するために、前記ヒンジ部と前記カバー部の各々は、前記パネルに対し着脱可能に設けられている。
【００１２】
第四の特徴として、好ましい具体的態様を得るために、前記カバー部は、前記二つのパネルのうちの一方に対し着脱可能な第１のカバー部と、その他方に対し着脱可能な第２のカバー部とから構成され、第１のカバー部は、第２のカバー部に対向する端部側に、前記ヒンジ部の回動軸に沿う曲面部を有し、第２のカバー部は、第１のカバー部に対向する端部側を、前記回動の前後にわたって前記曲面部に近接するように形成している（図１，図３及び図４参照）。
【００１３】
第五の特徴として、他の好ましい具体的態様を得るために、前記ヒンジ部と前記カバー部の各々は、前記パネルに対し着脱不能な一体状に設けられている（図７及び図８参照）。
【００１４】
第六の特徴として、上記開閉体を具備して開閉装置を構成した。
【実施例１】
【００１５】
次に、上記特徴を有する好ましい実施例を、図面に基づいて詳細に説明する。
なお、本明細書中、「開閉体厚さ方向」とは、全閉状態の開閉体の厚さ方向を意味する。また、本明細書中、「開閉体幅方向」又は「開閉体横幅方向」とは、開閉体の開閉方向と略直交する方向であって、前記開閉体の厚さ方向ではない方向を意味する。
【００１６】
図１は、本発明に係る開閉装置用の開閉体の一例を示す斜視図である。
この開閉体１は、開閉方向に並ぶ複数のパネル１０からなり、開閉方向に隣り合う二つのパネル１０，１０の間には、これら二つのパネル１０．１０の厚み内に位置して一方のパネル１０に対し他方のパネル１０を折り曲げるように回動させるヒンジ部２０と、該ヒンジ部２０により形成される凹凸を、開閉体厚み方向側から覆って略平坦状にする複数のカバー部１１，１２，３３，３４とが設けられている。
なお、前記「略平坦状」とは、幾何学的に平坦である場合を含むのは勿論のこと、使用上において支障がない程度に平坦であって若干の間隙や凹凸がある状態を含む。
【００１７】
各パネル１０は、図２に示すように、内部に中空部を有するとともに上下方向へ長尺な断面略枠状の部材であり、前記断面形状を開閉体横幅方向へ連続している。なお、図２によれば、便宜上、パネル１０の横幅寸法を短尺に図示しているが、このパネル１０の実際の横幅寸法は、開閉体１によって開閉される開口部の幅と略同等であり、通常は比較的長尺な寸法であり左右対称の構造となる。
このパネル１０の上下方向の中央寄りにおいて、その表面と裏面には、それぞれ、平坦面部１０ａ，１０ｂが形成される。
そして、表側の平坦面部１０ａの上下端側には、後述するカバー部として機能する突片部１１，１２が形成される。
また、裏側の平坦面部１０ｂの上下端側には、着脱可能なカバー部３３，３４を固定するための被嵌合部１３，１４及び被止着部１５，１６、ヒンジ部２０を固定するための被止着部１７，１８等が設けられる。
【００１８】
上側の突片部１１（カバー部）は、平坦面部１０ａよりも開閉体厚さ方向に若干凹んでいる（図２参照）。この突片部１１は、後述するヒンジ部２０の軸部を覆うように縦断面湾曲状に形成される（図３参照）。
下側の突片部１２（カバー部）は、平坦面部１０ａと面一になるようにして、下方へ突出しており、図３に示すように、下側に隣接するパネル１０の突片部１１に重なり合う。
【００１９】
上側の被嵌合部１３は、着脱可能な一方のカバー部３３を嵌め合せるように（図３参照）、底部を下方へ向けた凹状に形成される。
下側の被嵌合部１４は、着脱可能な他方のカバー部３４を嵌め合せるように（図３参照）、底部を斜め下方へ向けた凹状に形成される。
【００２０】
上側の被止着部１５は、カバー部３３に挿通したネジ３９を螺合して止着するためのネジ孔である（図３参照）。
被止着部１５よりもさらに上側の被止着部１７は、ヒンジ部２０の下側に挿通したネジ３９を止着するためのネジ孔である（図３参照）。
【００２１】
また、下側の被止着部１６は、カバー部３４に挿通したネジ３９を螺合して止着するためのネジ孔である（図３参照）。
被止着部１６よりもさらに下側の被止着部１８は、ヒンジ部２０の上側に挿通したネジ３９を止着するためのネジ孔である（図３参照）。
【００２２】
ヒンジ部２０は、筒状軸部２１の両側に２つの板状の回動板２２，２３を回動自在に支持してなる。このヒンジ部２０は、上下に隣接するパネル１０，１０の間において、横幅方向へ間隔を置いて複数配設される（図示省略）。
各ヒンジ部２０は、上下に隣接するパネル１０，１０の厚み内に位置するよう設けられ、一方の回動板２２を、上側のパネル１０に対しネジ３９によって止着するとともに、他方の回動板２３を下側のパネル１０に対しネジ３９によって止着している。
【００２３】
開閉体幅方向へ並べられる複数のヒンジ部２０のうち、最も側端寄りに位置するヒンジ部２０の筒状軸部２１には、転動装置２４の軸部２４ａが挿入され支持される（図１参照）。
転動装置２４は、軸部２４ａの先端側にローラ２４ｂを回転自在に支持している。ローラ２４ｂは、当該開閉体１の適用対象となる開閉装置のガイドレールに嵌り合って転動する。
【００２４】
また、一方のカバー部３３（第１のカバー部）は、その上端側に凸湾曲状の曲面部３３ａを有するとともに、下端部に係合突起３３ｂを有し、これら曲面部３３ａと係合突起３３ｂの間に、上下のパネル１０，１０が略直線状に並んだ際に、これらパネル１０，１０の平坦面部１０ｂ，１０ｂと略面一になる平坦面部３３ｃを有する。
曲面部３３ａは、図４に示すように、他方のカバー部３４（第２のカバー部）の下端部に対向するように、上端側に配置される。そして、この曲面部３３ａは、ヒンジ部２０の回動軸となる筒状軸部２１の周面に沿う曲面状に形成され、上側のパネル１０の回動の前後にわたって、上側のカバー部３４の下端部との隙間を略一定の間隔に維持する。
係合突起３３ｂは、パネル１０上側の被嵌合部１３に嵌り合うように断面略クランク状に曲げられている（図３参照）。
上記構成のカバー部３３は、先ず、係合突起３３ｂが被嵌合部１３に嵌め合せられる。この状態で、カバー部３３は、落下しないようにパネル１０に係止される。次に、カバー部３３は、ネジ３９によってパネル１０に対し不動に固定される（図３参照）。このカバー部３３は、ネジ３９を緩めることで取り外し可能である。
【００２５】
他方のカバー部３４（第２のカバー部）は、その上端側に係合突起３４ａを有するとともに、下端部に曲面部３４ｂを有し、これら係合突起３４ａと曲面部３４ｂの間に、上下のパネル１０，１０が略直線状に並んだ際に、これらパネル１０，１０の平坦面部１０ｂ，１０ｂと略面一になる平坦面部３４ｃを有する。
係合突起３４ａは、パネル１０下側の被嵌合部１４に嵌り合うように、開閉体厚さ方向において斜め下方を向く突片状に形成される（図３参照）。
曲面部３４ｂは、上側のパネル１０及びカバー部３４の回動の前後にわたって（図４（ａ）（ｂ）参照）、下側のカバー部３３の曲面部３３ａに対し、略一定の隙間を置いて近接するように形成される。
上記構成のカバー部３４は、先ず、係合突起３４ａが被嵌合部１４に嵌め合せられる。この状態で、カバー部３４は、落下しないようにパネル１０に係止される。次に、カバー部３４は、ネジ３９によってパネル１０に対し不動に固定される（図３参照）。このカバー部３４は、ネジ３９を緩めることで取り外し可能である。
なお、他例としては、図３に示す曲面部３４ｂと曲面部３３ａとの関係が上下逆になるようにしてもよい。すなわち、この他例では、曲面部３４ｂが筒状軸部２１の周面に沿う下向きの曲面状に形成され、曲面部３３ａは上側のパネル１０の回動の前後にわたって前記曲面部３４ｂの表面に対し、下側から略一定の隙間を置いて近接するように形成される。
【００２６】
図１中、符号４０は、パネル１０が全閉した際に、床面等の着座対象部位に対し当接して変形するパッキンである。このパッキン４０は、着座対象部位に対し開閉体幅方向の略全長にわたって接触し、当該パネル１０により閉鎖性を向上する。
【００２７】
上記構成の開閉体１は、例えば特許文献１に示す開閉装置（オーバーヘッドドア）の開閉体と置換して用いられる。そして、この開閉体１は、ガイドレール（図示せず）に沿って移動することで、空間を仕切るようにして下方へ閉鎖動作したり、上方へ開放動作したりする。
【００２８】
次に、上記構成の開閉体１及び該開閉体１を用いた開閉装置について、その特徴的な作用効果を詳細に説明する。
複数のパネル１０を上下方向に直線状に並べた閉鎖状態においては、図１、図３及び図４（ａ）等に示すように、ヒンジ部２０によってパネル１０面に形成される凹凸が、突片部１１，１２（カバー部）、及びカバー部３３，３４により覆われる。このため、上下に並ぶパネル１０，１０間の接続部分が、上下のパネル１０，１０の平坦面部１０ａ，１０ｂに連続する略平坦状になる（図４（ａ）参照）。
よって、当該パネル１０における外観上の体裁を向上するとともに、開閉体面への塵埃や異物等の付着を抑制することができる。しかも、ヒンジ部２０を、突片部１１，１２（カバー部）、及びカバー部３３，３４により覆うようにしているため、ヒンジ部２０の回動音を低減することもできる。
また、着脱可能なカバー部３３，３４を外せば、ヒンジ部２０や転動装置２４の交換を容易に行うことができ、メンテナンス性が良好である。
【００２９】
また、開閉体１によれば、図４（ａ）（ｂ）に示すように、上側のパネル１０を、下側のパネル１０に対し折り曲げるようにして回動させる際、カバー部３４下端の曲面部３４ｂとカバー部３３上端の曲面部３３ａとの間の隙間が略一定に維持される。このため、前記回動中においても、上下のパネル１０，１０間に隙間が殆ど形成されず、外観上の体裁が良好であり、また、前記隙間に異物等が挟まるようなことも防ぐことができる。
【実施例２】
【００３０】
次に本発明に係る開閉体の他例について説明する。なお、以下に説明する開閉体については、上述した開閉体１の一部を変更したものであるため、主にこの変更部分について詳述し、重複する詳細説明を省略する。
【００３１】
図５及び図６に示す開閉体２は、上述した開閉体１に対し、上記パネル１０をパネル５０に置換し、カバー部３３，３４を単数の着脱可能なカバー部６０に置換したものである。
【００３２】
各パネル５０は、図５に示すように、上下方向へ長尺な部材であり、その上下方向の中央寄りにおける表面側に平坦面部５０ａが形成され、同表面側において、平坦面部５０ａの上下端側には、カバー部として機能する突片部５１，５２が形成される。これら突片部５１，５２は、上記パネル１０における突片部１１，１２と同形状である。
【００３３】
また、このパネル５０の裏面側には、その上端側に、被嵌合部５３および被止着部５４，５５が形成され、下端側に、被嵌合部５６および被止着部５７，５８が形成される。
【００３４】
上側の被嵌合部５３は、着脱可能なカバー部６０の上側の係合突起６１を嵌め合せるように（図５参照）、底部を下方へ向けた凹状に形成される。
下側の被嵌合部５６は、同カバー部６０の下側の係合突起６２を係止するように上方向きの突片状に形成される（図５参照）。
【００３５】
上側の被止着部５４は、カバー部６０に挿通したネジ３９を螺合して止着するためのネジ孔である（図５参照）。
被止着部５４よりもさらに上側の被止着部５５は、ヒンジ部２０の下側に挿通したネジ３９を止着するためのネジ孔である（図３及び図４参照）。
【００３６】
上記構成のパネル５０は、上方方向に並べられ、隣り合うパネル５０，５０間がヒンジ部２０により接続された後、各パネル５０の裏面側に、単数のカバー部６０が装着される。
【００３７】
カバー部６０は、その上端側に凸湾曲状の曲面部６３を有するとともに、下端部に、下方側のカバー部６０の曲面部６３に近接するように、凹湾曲状の曲面部６４を有し、これら曲面部６３，６４の上下間に、平坦面部６０ａを有する。
平坦面部６０ａは、パネル１０の上下方向及び横幅方向の略全長にわたって連続する平坦状の面である。
【００３８】
上記構成のパネル５０は、図６に示すように、上方方向へ並べられるとともにその上下間がヒンジ部２０によって接続される。そして、この接続の後、各パネル５０には、カバー部６０が装着される。カバー部６０は、その上下に挿通されるネジ３９，３９によって、カバー部６０に止着される。上下のパネル５０，５０が略直線状に並んだ際に、上下の平坦面部６０ａ，６０ａは略面一になる（図６（ａ）参照）。
また、開閉体２の横幅方向端部に位置するヒンジ部２０には、上述した開閉体１と略同様にして転動装置２４（図１参照）が装着される。
【００３９】
よって、図５及び図６に示す開閉体２によれば、ヒンジ部２０によってパネル５０面に形成される凹凸が、カバー部５１，５２，６０等により覆われる。このため、上下に並ぶパネル５０，５０間の接続部分が、上下方向へ連続する略平坦状になる（図６（ａ）参照）。
よって、当該パネル５０における外観上の体裁を向上したり、ヒンジ部２０の回動音を低減したりすることができる。
また、着脱可能なカバー部６０を外せば、ヒンジ部２０や転動装置２４の交換を容易に行うことができ、メンテナンス性が良好である。
また、例えば、補強等の目的で、パネル５０とカバー部６０とで挟まれた中空部に補強部材等を嵌め込む場合でも、前記中空部に特別な凹凸等を設けることなく、パネル５０とカバー部６０の間に前記補強部材等を容易に嵌め込むことができる。
また、窓を形成する目的でパネル５０及びカバー部６０に貫通孔を設け、該貫通孔に対応するように、パネル５０とカバー部６０の間の中空部にガラス等の透明部材を嵌め込む場合にも、これらの工程を容易に行うことができる。
【実施例３】
【００４０】
図７及び図８に示す開閉体２は、上述した開閉体１に対し、上記パネル１０をパネル７０に置換し、着脱可能なカバー部を用いない構成としている。
【００４１】
各パネル７０は、図７に示すように、上下方向へ長尺な部材であり、その上下方向の中央寄りにおける表面側と裏面側にそれぞれ平坦面部７０ａ，７０ｂが形成される。
各パネル７０の表面側（図７によれば左側面）において、平坦面部７０ａの上下端側には、カバー部として機能する突片部７１，７２が形成される。これら突片部７１，７２は、上記パネル１０における突片部１１，１２と同形状である。
【００４２】
また、各パネル７０の裏面側（図７によれば右側面）において、平坦面部７０ａの上端側には、断面凸曲状の曲面部７３が形成される。
そして、開閉体厚さ方向において、突片部７１と曲面部７３の間には、後述する軸部７６に嵌め合せられる軸受部７４が形成される。この軸受部７４は、上方を開口した断面Ｃ字状に形成される。
【００４３】
また、各パネル７０の裏面側（図７によれば右側面）において、平坦面部７０ａの下端側には、下側に位置するパネル７０の曲面部７３の外面に近接して該曲面部７３を覆うように、曲面部７５が形成され、さらに、曲面部７５の下方側には、軸部７６が形成される。
【００４４】
軸部７６は、図７に示すように、括れ部７６ａを介して、パネル７０下端側に接続されており、軸受部７４内で所定量回転する軸状に形成される。この軸部７６は、他のパネル７０の軸受部７４に対し、開閉体幅方向の端部側から挿入される。
【００４５】
よって、図７及び図８に示す開閉体２によれば、ヒンジ部を構成する軸受部７４及び軸部７６が、表面側においてカバー部７１，７２により覆われ、また、裏面側においては曲面部７３，７５等によって覆われる。そして、上下に並ぶパネル７０，７０間の接続部分が、上下のパネル７０，７０の平坦面部７０ａ，７０ｂに連続する略平坦状になる（図７（ａ）参照）。
よって、当該パネル７０における外観上の体裁を向上したり、ヒンジ部を構成する軸受部７４及び軸部７６の回動音を低減したりすることができる。
【００４６】
なお、上述した開閉体１，２，３は、特にオーバーヘッドドアの開閉体として好適であるが、シャッター装置に適用することも可能である。
【符号の説明】
【００４７】
１，２，３：開閉体
１０，５０．７０：パネル
２０：ヒンジ部
１１，１２，５１，５２，７１，７２：突片部（カバー部）
３３：カバー部（第１のカバー部）
３３ａ：曲面部
３４：カバー部（第２のカバー部）
６０：カバー部
７４：軸受部（ヒンジ部）
７６：軸部（ヒンジ部）
【図１】
0006554290.tif 000002
【図２】
0006554290.tif 000003
【図３】
0006554290.tif 000004
【図４】
0006554290.tif 000005
【図５】
0006554290.tif 000006
【図６】
0006554290.tif 000007
【図７】
0006554290.tif 000008
【図８】
0006554290.tif 000009